(57)【要約】【課題】  ミシンのハンドプーリから発生する振動騒音を低減すること、簡単な構成で振動騒音を低減すること、既存のミシンのハンドプーリの振動騒音の低減にも適用可能にすること。【解決手段】  ミシンが備えるハンドプーリは、筒部２１と、軸連結部２５とを有し、筒部２２の内周面に面接触し且つ端壁部２３の内面に接近状に配設されるゴム製の振動抑制部材３０と、筒部２１と振動抑制部材３０と小径壁部２４と軸連結部２５の内面に沿い且つその内面を覆うように構成された合成樹脂製の環状部材３５と、軸連結部２５と環状部材３５の間に配設されたゴム製の振動抑制部材４５と、環状部材３５を軸連結部２５に締結する２本のボルト部材４２と、ボルト部材４２に夫々外装されたゴム製の２つのカラー４１とを設けた。【選択図】  図２
2009268681.tif 000002
【特許請求の範囲】
【請求項１】
ミシン主軸の一端部に固着され且つアーム部より外側に配設された手動操作可能なハンドプーリを備えたミシンにおいて、
前記ハンドプーリは、前記ミシン主軸に外嵌固定される軸連結部と、該軸連結部に対して前記アーム部とは反対側に位置する筒部とを有し、
前記筒部に前記ミシン主軸から伝達される振動を抑制する第１振動抑制部材を設けたことを特徴とするミシン。
【請求項２】
前記筒部は、前記軸連結部側に連なる端壁部と、該端壁部から前記アーム部とは反対側に延びる側壁部とで構成し、
前記第１振動抑制部材は、前記側壁部の内周面に設けたことを特徴とする請求項１に記載のミシン。
【請求項３】
前記端壁部の前記アーム部とは反対側の内面に当接または近接状に配置した第２振動抑制部材を備えたことを特徴とする請求項２に記載のミシン。
【請求項４】
前記第１振動抑制部材と前記第２振動抑制部材とを前記アーム部とは反対側から覆う環状部材と、該環状部材を前記軸連結部に固定する固定部材とを設けたことを特徴とする請求項３に記載のミシン。
【請求項５】
前記軸連結部と前記環状部材との間に配設された第３振動抑制部材を設けたことを特徴とする請求項４に記載のミシン。
【請求項６】
前記固定部材をボルト部材で構成し、該ボルト部材から前記環状部材へ伝わる振動を低減させる為に該ボルト部材に夫々外装された第４振動抑制部材を設けたことを特徴とする請求項４又は５に記載のミシン。
【請求項７】
前記ハンドプーリに手動にて操作する際の操作性を確保する為に、前記環状部材の内側に凹部が形成されたことを特徴とする請求項４〜６の何れかに記載のミシン。
【請求項８】
前記第１振動抑制部材は、合成樹脂又はゴムで構成したことを特徴とする請求項１，２，４の何れかに記載のミシン。
【請求項９】
前記第２振動抑制部材は、合成樹脂又はゴムで構成したことを特徴とする請求項３又は４に記載のミシン。
【請求項１０】
前記第３振動抑制部材は、合成樹脂又はゴムで構成したことを特徴とする請求項５に記載のミシン。
【請求項１１】
前記第４振動抑制部材は、合成樹脂又はゴムで構成したことを特徴とする請求項６に記載のミシン。
【発明の詳細な説明】
【技術分野】
【０００１】
本発明は、ミシンに関し、特にミシン主軸の一端部に固着されたハンドプーリの振動による騒音を低減するようにしたものに関する。
【背景技術】
【０００２】
従来、各種ミシンは、ベッド部と、ベッド部に立設された脚柱部と、この脚柱部の上端からベッド部に対向するように片持ち状に左方へ延びるアーム部とを備えている。アーム部の内部にミシン主軸が配設されている。アーム部の脚柱部側にミシンモータが配設されて、その出力軸がミシン主軸に連結されている。ミシンモータは、ミシン主軸を回動するようになっている。
【０００３】
ミシン主軸の一端部にハンドプーリが固着され、ハンドプーリがアーム部より外側に配設されている。ミシン主軸の他端部には、針棒を上下動させる針棒上下動機構と、天秤を上下揺動させる天秤上下揺動機構が連結されている。ミシン主軸は、複数の軸受けメタルやボールベアリングによりミシン機枠に軸心回りに回動可能に支持されている。縫製中、ミシン主軸が回動することにより針棒上下動機構と天秤上下動機構が駆動され、針棒と天秤の上下動が行われる。このとき、針棒上下動機構による針棒の上下動や、天秤上下動機構による天秤の上下動によって発生する振動がミシン主軸を介してハンドプーリに伝達されるため、ハンドプーリも振動する。
【０００４】
特許文献１の手動回動装置では、手元プーリ軸の一端部に手元プーリメタルを挿通した状態で、手元プーリ（ハンドプーリ）がコイルばねを介して止ねじで固定され、コイルばねにより手元プーリを手元プーリメタルから離隔する方向に付勢している。手元プーリ軸の他端部には手元プーリ歯車が固定され、手元プーリ軸の長さ方向中央部には、手元プーリメタルの切欠きに係合可能な手元プーリころが設けられている。手元プーリを手動で回動しながら、ばねの弾性力で切欠きに手元プーリを係合させると、手元プーリ歯車と上軸（ミシン主軸）に固定された歯車との噛合が解除されるようになっており、振動が上軸を介して手元プーリに伝達されにくくしてある。
【特許文献１】特許第３６１４５５０号公報
【発明の開示】
【発明が解決しようとする課題】
【０００５】
ところで、最近では、縫製速度を向上させる為にミシン主軸を高速で回動させる関係上、ハンドプーリの軽量化が図られ、アルミニウム合金製のハンドプーリが広く採用されている。アルミニウム合金製のハンドプーリは、軽量であるためミシン主軸の振動を伝達しやすい。特に、ハンドプーリの自由端側の筒部では振動も激しくなり、ハンドプーリが振動すると８０ｄＢ以上もの騒音が発生する場合がある。その騒音は、ハンドプーリの側方の離れた位置まで指向性をもって伝搬するため、作業環境が悪化する。
そこで、ハンドプーリの騒音対策を講じることが望ましいが、ハンドプーリの手動操作性を損なわずに騒音対策を講じることは簡単ではない。また、既存のミシンのハンドプーリにも適用可能な騒音対策が望ましい。
【０００６】
本発明の目的は、ミシンのハンドプーリから発生する振動騒音を低減すること、簡単な構成で振動騒音を低減すること、既存のハンドプーリの振動騒音の低減にも適用可能にすること、等である。
【課題を解決するための手段】
【０００７】
請求項１のミシンは、ミシン主軸の一端部に固着され且つアーム部より外側に配設された手動操作可能なハンドプーリを備えたミシンにおいて、前記ハンドプーリは、前記ミシン主軸に外嵌固定される軸連結部と、該軸連結部に対して前記アーム部とは反対側に位置する筒部とを有し、前記筒部に前記ミシン主軸から伝達される振動を抑制する第１振動抑制部材を設けたことを特徴としている。
【０００８】
このミシンでは、縫製中に、針棒上下動機構による針棒の上下動や、天秤上下動機構による天秤の上下動によって発生する振動がミシン主軸を介してハンドプーリに伝達した場合、伝達された振動エネルギーが筒部に設けた第１振動抑制部材によって吸収されるので、ハンドプーリの振動が抑制される。その結果、ハンドプーリの振動による騒音が低減する。
【０００９】
請求項２のミシンは、請求項１の発明において、前記筒部は、前記軸連結部側に連なる端壁部と、該端壁部から前記アーム部とは反対側に延びる側壁部とで構成し、前記第１振動抑制部材は、前記側壁部の内周面に設けたことを特徴としている。
【００１０】
請求項３のミシンは、請求項２の発明において、前記端壁部の前記アーム部とは反対側の内面に当接または近接状に配置した第２振動抑制部材を備えたことを特徴としている。
【００１１】
請求項４のミシンは、請求項３の発明において、前記第１振動抑制部材と前記第２振動抑制部材とを前記アーム部とは反対側から覆う環状部材と、該環状部材を前記軸連結部に固定する固定部材とを設けたことを特徴としている。
【００１２】
請求項５のミシンは、請求項４の発明において、前記軸連結部と前記環状部材との間に配設された第３振動抑制部材を設けたことを特徴としている。
【００１３】
請求項６のミシンは、請求項４又は５の発明において、前記固定部材をボルト部材で構成し、該ボルト部材から前記環状部材へ伝わる振動を低減させる為に該ボルト部材に夫々外装された第４振動抑制部材を設けたことを特徴としている。
【００１４】
請求項７のミシンは、請求項４〜６の何れかの発明において、前記ハンドプーリに手動にて操作する際の操作性を確保する為に、前記環状部材の内側に凹部が形成されたことを特徴としている。
【００１５】
請求項８のミシンは、請求項１，２，４の何れかの発明において、前記第１振動抑制部材は、合成樹脂又はゴムで構成したことを特徴としている。
請求項９のミシンは、請求項３又は４の発明において、前記第２振動抑制部材は、合成樹脂又はゴムで構成したことを特徴としている。
【００１６】
請求項１０のミシンは、請求項５の発明において、前記第３振動抑制部材は、合成樹脂又はゴムで構成したことを特徴としている。
請求項１１のミシンは、請求項６の発明において、前記第４振動抑制部材は、合成樹脂又はゴムで構成したことを特徴としている。
【発明の効果】
【００１７】
請求項１の発明によれば、ハンドプーリは、ミシン主軸に外嵌固定される軸連結部と、該軸連結部に対してアーム部とは反対側に位置する筒部とを有し、筒部にミシン主軸から伝達される振動を抑制する第１振動抑制部材を設けたので、筒部に伝達される振動エネルギーを第１振動抑制部材で吸収することができるうえ、筒部の振動と異なる振動数で振動する第１振動抑制部材により筒部の振動を抑制することができる。
【００１８】
このように、ハンドプーリの振動を抑制することができるので、ハンドプーリの筒部の振動による騒音を低減することができる。しかも、筒部に第１振動抑制部材を設けるという簡単な構成で安価に実施できるうえ、既存のミシンのハンドプーリにも適用できる。さらに、ハンドプーリの重量も殆ど増加しないため、ミシン主軸の高速回転の妨げにならない。
【００１９】
請求項２の発明によれば、筒部は、軸連結部側に連なる端壁部と、該端壁部からアーム部とは反対側に延びる側壁部とで構成し、第１振動抑制部材は、側壁部の内周面に設けたので、第１振動抑制部材により筒部の側壁部の振動を抑制することができる。
【００２０】
請求項３の発明によれば、端壁部のアーム部とは反対側の内面に当接または近接状に配置した第２振動抑制部材を備えたので、筒部の端壁部に伝達される振動エネルギーを第２振動抑制部材で吸収することができるうえ、筒部の端壁部の振動と異なる振動数で振動する第２振動抑制部材により筒部の端壁部の振動を抑制することができる。そのため、ハンドプーリの振動を一層抑制することができ、ハンドプーリの振動による騒音を一層低減することができる。
【００２１】
請求項４の発明によれば、第１振動抑制部材と第２振動抑制部材とをアーム部とは反対側から覆う環状部材と、該環状部材を軸連結部に固定する固定部材とを設けたので、ハンドプーリで発生する騒音を環状部材で遮音することができ、ハンドプーリの振動による騒音を格段に低減することができる。
【００２２】
請求項５の発明によれば、軸連結部と環状部材との間に配設された第３振動抑制部材を設けたので、軸連結部に伝達される振動エネルギーを第３振動抑制部材で吸収することができるうえ、軸連結部の振動と異なる振動数で振動する第３振動抑制部材により軸連結部の振動を抑制することができる。そのため、ハンドプーリの振動を一層抑制することができる。
【００２３】
請求項６の発明によれば、固定部材をボルト部材で構成し、該ボルト部材から環状部材へ伝わる振動を低減させる為に該ボルト部材に夫々外装された第４振動抑制部材を設けたので、第４振動抑制部材により環状部材の振動を格段に抑制することができ、ハンドプーリの振動を一層抑制することができる。
【００２４】
請求項７の発明によれば、ハンドプーリに手動にて操作する際の操作性を確保する為に、環状部材の内側に凹部が形成されたので、環状部材の遮音性能を損なうことなく、ハンドプーリの操作性を確保できる。
【００２５】
請求項８の発明によれば、第１振動抑制部材は、合成樹脂又はゴムで構成したので、簡単な構成で安価に実施できる。
請求項９の発明によれば、第２振動抑制部材は、合成樹脂又はゴムで構成したので、簡単な構成で安価に実施できる。
【００２６】
請求項１０の発明によれば、第３振動抑制部材は、合成樹脂又はゴムで構成したので、簡単な構成で安価に実施できる。
請求項１１の発明によれば、第４振動抑制部材は、合成樹脂又はゴムで構成したので、簡単な構成で安価に実施できる。
【発明を実施するための最良の形態】
【００２７】
以下、本発明を実施する為の最良の形態について説明する。
【実施例】
【００２８】
以下、本発明の実施例について図面に基づいて説明する。
図１に示すように、工業用のミシンＭは、ベッド部１と、このベッド部１の右端部分に立設された脚柱部２と、この脚柱部２の上端部から左方へ片持ち状に延びてベッド部１に対向するアーム部３とを備えている。
【００２９】
図２に示すように、アーム部３の内部にはミシンモータ（図示省略）で回転駆動されるミシン主軸１０が配設され、このミシン主軸１０は、複数の軸受けメタルやボールベアリング１２によりミシン機枠Ｆに軸心回りに回動可能に支持されている。アーム部３の前方内部には、下端に縫針７を取り付けた針棒６を上下動させる針棒上下動機構と、天秤５を上下揺動させる天秤上下揺動機構が設けられ、これらはミシン主軸１０の左端部に連動連結されている。ベッド部１の内部には、ミシン主軸１０に連動連結された下軸（図示省略）と、この下軸に連結された糸捕捉用釜（図示省略）及び送り歯機構（図示省略）等が組み込まれている。
【００３０】
ミシン主軸１０の右端部（一端部）には、ミシン主軸１０を手動で操作する為のハンドプーリ２０が固着され、このハンドプーリ２０はアーム部３より外側に配設されている。ハンドプーリ２０に掛装されたベルト５０は、前記ミシンモータの回転軸と連動連結されている。
【００３１】
次に、ハンドプーリ２０について説明する。
図２に示すように、ハンドプーリ２０は、環状の筒部２１と、小径壁部２４と、軸連結部２５と、アーム部側筒部２７とを有する。筒部２１は、側壁部２２と、側壁部２２のアーム部側端部に連なる端壁部２３とを有する。端壁部２３の内周端には小径壁部２４が連なり、小径壁部２４のアーム部側端部には、ミシン主軸１０に外嵌固定される軸連結部２５が連なっている。ハンドプーリ２０は、軸連結部２５のボルト穴（図示省略）とミシン主軸１０のボルト穴１１に挿入されるボルト（図示省略）により、ミシン主軸１０に固定されている。
【００３２】
図２、図３に示すように、筒部２１の内部にはゴム製の振動抑制部材３０が配設されている。振動抑制部材３０は、環状部（これが第２振動抑制部材に相当する）３２と、周壁部（これが第１振動抑制部材に相当する）３１とで一体形成されている。振動抑制部材３０は、環状部３２が端壁部２３の内面に接近状に配設され、且つ周壁部３１が側壁部２２の内周面に面接触した状態で配設されている。
【００３３】
図２、図４に示すように、筒部２１と、振動抑制部材３０と、小径壁部２４と、軸連結部２５の内面に沿うように合成樹脂製の環状部材３５が配設され、これらの内面が環状部材３５によって覆われている。環状部材３５は、外周部分の外周リング部３６と、外周リング部３６よりも左方へ膨出する内周側部分の内周リング部３７と、内周リング部３７から左方に突出する連結部３８とを有する。環状部材３５の内周リング部３７が振動抑制部材３０の穴部３３に嵌合した状態で環状部材３５が配設されている。外周リング部３６の外周面が周壁部３１の内周面に面接触し、且つ外周リング部３６の左側面が環状部３２の内面に面接触している。
【００３４】
連結部３８には、ミシン主軸１０が挿通可能な空間３９と、２つのボルト穴４０が設けられている。これらのボルト穴４０には２本のボルト部材４２を外装する２つのゴム製のカラー（第４振動抑制部材）４１が夫々挿通されている。外周リング部３６の内側には、ハンドプーリ２０を手動で操作する際の操作性を確保する為の凹部４３が形成されている。
【００３５】
図２、図５に示すように、軸連結部２５と環状部材３５との間には、ゴム製のほぼ環状の振動抑制部材（第３振動抑制部材）４５が配設されている。この振動抑制部材４５は、軸連結部２５の右側面と、環状部材３５の連結部３８に夫々面接触している。振動抑制部材４５には、ミシン主軸１０が挿通する穴部４６と、２本のボルト部材（固定部材）４２が挿通する２つの切欠き４７が設けられている。アーム部側筒部２７の内側には、ハンドプーリ２０の回転位置を検出する回転位置検出センサ（図示省略）が設けられている。
【００３６】
次に、以上説明したミシンＭの作用、効果について説明する。
このミシンＭでは、縫製中に、針棒上下動機構による針棒６の上下動や、天秤上下動機構による天秤５の上下動によって発生する振動が、ミシン主軸１０に伝達する。ミシン主軸１０に伝達した振動は、ハンドプーリ２０に伝達する。振動抑制部材３０，４５と環状部材３５と２つのカラー４１は、ハンドプーリ２０に伝達した振動を抑制するので、ハンドプーリ２０の振動による騒音が低減する。ここで、ハンドプーリ２０の振動による騒音の測定結果について簡単に説明すると、振動抑制部材３０，４５と環状部材３５と２つのカラー４１を設けない従来のミシンでは、騒音が約８２．５ｄＢであったのに対し、本発明に係るミシンＭでは約７８ｄＢに低減した。
【００３７】
このように、ハンドプーリ２０は、筒部２１と、軸連結部２５とを有し、筒部２１の側壁部２２の内周面に面接触する環状部３２と、この環状部３２と一体形成され且つ端壁部２３の内面に接近状に配設された周壁部３１とからなるゴム製の振動抑制部材３０を備えている。振動抑制部材３０は、筒部２１に伝達される振動エネルギーを吸収することができるうえ、筒部２１の振動と異なる振動数で振動する振動抑制部材３０により筒部２１の振動を抑制することができる。
【００３８】
これにより、ハンドプーリ２０の振動を抑制することができるので、ハンドプーリ２０の振動による騒音を低減することができる。しかも、筒部２１の内面に振動抑制部材３０を設けるという簡単な構成で安価に実施できるうえ、既存のミシンのハンドプーリにも適用できる。さらに、ハンドプーリ２０の重量も殆ど増加しないため、ミシン主軸１０の高速回転の妨げにならない。
【００３９】
筒部２１と、振動抑制部材３０と、小径壁部２４と、軸連結部２５との内面に沿い且つその内面を覆うように構成された合成樹脂製の環状部材３５を設けた。環状部材３５は、ハンドプーリ２０で発生する騒音を遮音するため、ハンドプーリ２０の振動による騒音を格段に低減することができる。軸連結部２５と環状部材３５との間にゴム製の振動抑制部材４５を設けたので、軸連結部２５に伝達される振動エネルギーを振動抑制部材４５で吸収することができる。振動抑制部材４５は、軸連結部２５の振動と異なる振動数で振動するため、軸連結部２５の振動を抑制することができる。そのため、ハンドプーリ２０の振動を一層抑制することができる。
【００４０】
環状部材３５を軸連結部２５に締結する２本のボルト部材４２と、ボルト部材４２から環状部材３５へ伝わる振動を低減させる為に２本のボルト部材４２に夫々外装されたゴム製の２つのカラー４１を設けた。カラー４１は、環状部材３５の振動を格段に抑制することができ、ハンドプーリ２０の振動を一層抑制することができる。ハンドプーリ２０に手動にて操作する際の操作性を確保する為に、環状部材３５の内側に凹部４３を形成したので、環状部材３５の遮音性能を損なうことなく、ハンドプーリ２０の操作性を確保できる。
【００４１】
次に、前記実施例を部分的に変更した変更例について説明する。
１〕筒部２１の内部に振動抑制部材３０を配設する代わりに、側壁部２２の内周面にのみ環状の振動抑制部材を固着してもよい。この場合、環状部材３５と振動抑制部材４５とボルト部材４２とカラー４１を省略することも可能である。これにより、ハンドプーリ２０の重量が増加するのを一層抑制することができる。
２〕振動抑制部材３０，４５やカラー４１を合成樹脂材料で構成することも可能である。
３〕振動抑制部材３０の環状部３２を端壁部２３の内面に当接するように配設してもよい。
４〕筒部２１の端壁部２３を直接、軸連結部２５に連なるように形成してもよい。
【図面の簡単な説明】
【００４２】
【図１】本発明の実施例に係るミシンの正面図である。
【図２】ミシンにおいてハンドプーリ周辺の拡大断面図である。
【図３】第１，第２振動抑制部材の右側面図である。
【図４】遮音部材の左側面図である。
【図５】第３振動抑制部材の右側面図である。
【符号の説明】
【００４３】
Ｍ        ミシン
３        アーム部
１０      ミシン主軸
２０      ハンドプーリ
２１      筒部
２２      側壁部
２３      端壁部
２５      軸連結部
３１      第１振動抑制部材
３２      第２振動抑制部材
３５      環状部材
４１      カラー
４２      ボルト部材
４３      凹部
４５      第３振動抑制部材
【図１】
2009268681.tif 000003
【図２】
2009268681.tif 000004
【図３】
2009268681.tif 000005
【図４】
2009268681.tif 000006
【図５】
2009268681.tif 000007